【手続補正書】
【提出日】平成19年6月22日(2007.6.22)
【手続補正１】
【補正対象書類名】明細書
【補正対象項目名】特許請求の範囲
【補正方法】変更
【補正の内容】
【特許請求の範囲】
【請求項１】  シャフトを支持固定するフランジにステータが支持固定され、内周に磁石を備えたロータが、その磁石を前記ステータの外周に所定間隔置いて対向させた状態で前記シャフトに回転自在に支持され、前記ステータに備わるコイルからの磁束と前記磁石からの磁束の相互作用で前記ロータが回転するスピンドルモータにおいて、
前記フランジ及びステータ相互間に合金の制振材を介在させたことを特徴とするスピンドルモータ。
【請求項２】  シャフトを支持固定するフランジにステータが支持固定され、内周に磁石を備えたロータが、その磁石を前記ステータの外周に所定間隔置いて対向させた状態で前記シャフトに回転自在に支持され、前記ステータに備わるコイルからの磁束と前記磁石からの磁束の相互作用で前記ロータが回転するスピンドルモータにおいて、
前記フランジ及びシャフト相互間に合金の制振材を介在させたことを特徴とするスピンドルモータ。
【請求項３】  シャフトを支持固定するフランジにステータが支持固定され、内周に磁石を備えたロータが、その磁石を前記ステータの外周に所定間隔置いて対向させた状態で前記シャフトに回転自在に支持され、前記ステータに備わるコイルからの磁束と前記磁石からの磁束の相互作用で前記ロータが回転するスピンドルモータにおいて、
前記シャフト及びステータは各々前記フランジに直接接触して支持固定され、そのフランジは少なくとも前記シャフト及びステータとの接触部分が各々合金の制振材で構成されたことを特徴とするスピンドルモータ。
【請求項４】  ロータがディスク状記憶媒体を装着可能で、ディスク回転駆動用に構成されたことを特徴とする請求項１、２又は３に記載のスピンドルモータ。
【手続補正２】
【補正対象書類名】明細書
【補正対象項目名】０００７
【補正方法】変更
【補正の内容】
【０００７】
【課題を解決するための手段】
上記目的を達成するために、請求項１に記載の発明は、シャフトを支持固定するフランジにステータが支持固定され、内周に磁石を備えたロータが、その磁石を前記ステータの外周に所定間隔置いて対向させた状態で前記シャフトに回転自在に支持され、前記ステータに備わるコイルからの磁束と前記磁石からの磁束の相互作用で前記ロータが回転するスピンドルモータにおいて、前記フランジ及びステータ相互間に合金の制振材を介在させたことを特徴とする。
【手続補正３】
【補正対象書類名】明細書
【補正対象項目名】０００８
【補正方法】変更
【補正の内容】
【０００８】
請求項２に記載の発明は、シャフトを支持固定するフランジにステータが支持固定され、内周に磁石を備えたロータが、その磁石を前記ステータの外周に所定間隔置いて対向させた状態で前記シャフトに回転自在に支持され、前記ステータに備わるコイルからの磁束と前記磁石からの磁束の相互作用で前記ロータが回転するスピンドルモータにおいて、前記フランジ及びシャフト相互間に合金の制振材を介在させたことを特徴とする。
【手続補正４】
【補正対象書類名】明細書
【補正対象項目名】０００９
【補正方法】変更
【補正の内容】
【０００９】
請求項３に記載の発明は、シャフトを支持固定するフランジにステータが支持固定され、内周に磁石を備えたロータが、その磁石を前記ステータの外周に所定間隔置いて対向させた状態で前記シャフトに回転自在に支持され、前記ステータに備わるコイルからの磁束と前記磁石からの磁束の相互作用で前記ロータが回転するスピンドルモータにおいて、前記シャフト及びステータは各々前記フランジに直接接触して支持固定され、そのフランジは少なくとも前記シャフト及びステータとの接触部分が各々合金の制振材で構成されたことを特徴とする。
【手続補正５】
【補正対象書類名】明細書
【補正対象項目名】００１１
【補正方法】変更
【補正の内容】
【００１１】
請求項１に記載の発明では、フランジ及びステータ相互間に合金の制振材が介在し、ステータのコイル（ステータコイル）に供給される交番電流によりステータに発生する電磁振動及び回転作用振動がその合金の制振材によって減衰，吸収され、フランジへの伝播が抑止される。
【手続補正６】
【補正対象書類名】明細書
【補正対象項目名】００１２
【補正方法】変更
【補正の内容】
【００１２】
請求項２に記載の発明では、フランジ及びシャフト相互間に合金の制振材が介在し、シャフトが受けるロータの回転振動がその合金の制振材によって減衰，吸収され、フランジへの伝播が抑止される。
【手続補正７】
【補正対象書類名】明細書
【補正対象項目名】００１３
【補正方法】変更
【補正の内容】
【００１３】
請求項３に記載の発明では、フランジの少なくともシャフト及びステータとの接触部分が各々合金の制振材で構成されている。
これによると、フランジとシャフト，ステータとの間に各々合金の制振材を介在させる手間を経ることなく（フランジに対してシャフト及びステータを組み付けるだけで）、請求項１及び２と同様の作用が得られる。
【手続補正８】
【補正対象書類名】明細書
【補正対象項目名】００１４
【補正方法】変更
【補正の内容】
【００１４】
請求項４に記載の発明では、ロータにディスク状記憶媒体を装着可能とし、本発明のスピンドルモータをディスク回転駆動用モータとして構成した。
これによると、回転むらが小さいという、アウタロータ型のスピンドルモータが元々もつ特性に加えて、ステータやロータからの振動が合金の制振材によって減衰，吸収されるという特性をも併せもつ、ディスク状記憶媒体の回転駆動用モータが得られることになる。
【手続補正９】
【補正対象書類名】明細書
【補正対象項目名】００１９
【補正方法】変更
【補正の内容】
【００１９】
第１ブッシュ４及び第２ブッシュ５は、いずれも合金の制振材からなる。ここで用いる合金としては、例えば大同社製「Ｄ２０５２」合金（Ｍｎ及びＣｕを主成分とする合金）が挙げられる。
【手続補正１０】
【補正対象書類名】明細書
【補正対象項目名】００２４
【補正方法】変更
【補正の内容】
【００２４】
このときステータ３には、ステータコイル３ａに交番電流が供給されていることにより電磁振動及び回転作用振動が発生する。この振動は、フランジ１側に伝播しようとするが、フランジ１及びステータ３相互間には合金の制振材からなる第１ブッシュ４が介在するので、この第１ブッシュ４で減衰，吸収される。
【手続補正１１】
【補正対象書類名】明細書
【補正対象項目名】００２５
【補正方法】変更
【補正の内容】
【００２５】
またシャフト２には、ロータ８が回転するとその回転に伴う振動（回転振動）が発生する。この振動は、フランジ１側に伝播しようとするが、フランジ１及びシャフト３相互間には合金の制振材からなる第２ブッシュ５が介在するので、この第２ブッシュ５で減衰，吸収される。
【手続補正１２】
【補正対象書類名】明細書
【補正対象項目名】００２７
【補正方法】変更
【補正の内容】
【００２７】
なお上述実施形態では、フランジ１とは別体の合金の制振材からなるブッシュ４，５によって、ステータ３からの電磁振動及び回転作用振動やシャフト２からの回転振動によるフランジ１の振動や騒音の発生を防止していたが、フランジ１自体を合金の制振材で構成してもよい。また、フランジ１のシャフト２及びステータ３との接触部分のみを各々合金の制振材で構成してもよい。
いずれの例も、ステータ３及びシャフト２は各々フランジ１に直接接触して支持固定されるもので、ブッシュ４，５のような別部品は不要となり、組立工数が削減される。
【手続補正１３】
【補正対象書類名】明細書
【補正対象項目名】００２８
【補正方法】変更
【補正の内容】
【００２８】
また、本発明のモータに用いられる合金の制振材も上述実施形態のものに限定されることはない。
更に、本発明のモータは、ディスク状記憶媒体の回転駆動用モータ以外にも、例えばスキャナモータにも好適する。
【手続補正１４】
【補正対象書類名】明細書
【補正対象項目名】００２９
【補正方法】変更
【補正の内容】
【００２９】
【発明の効果】
以上述べたように本発明によれば、ステータからの電磁振動及び回転作用振動やシャフトからの回転振動を合金の制振材で減衰，吸収するようにしたので、フランジにおける振動の発生を防止、特に大きな振動や騒音の発生を防止することができるという効果がある。
【手続補正１５】
【補正対象書類名】明細書
【補正対象項目名】００３０
【補正方法】変更
【補正の内容】
【００３０】
またロータを、ディスク状記憶媒体の装着を可能とし、ディスク回転駆動用に構成すれば、ステータやロータからの振動が合金の制振材によって減衰，吸収されてフランジにおける振動や騒音の発生のないディスク状記憶媒体の回転駆動用モータが得られる。
【手続補正１６】
【補正対象書類名】明細書
【補正対象項目名】符号の説明
【補正方法】変更
【補正の内容】
【符号の説明】
１  フランジ
２  シャフト
３  ステータ
３ａ  ステータコイル
４，５  ブッシュ（合金の制振材）
８  ロータ
８ｃ  永久磁石